(57)【特許請求の範囲】
【請求項１】
電子機器内部にユニット品を着脱可能に取り付けるユニット品の固定構造において、
電子機器側に設けられた前記ユニット品を受け入れる凹部と、
前記凹部の一端面側で先端に係止爪を有して前記凹部内の底面から上方に向かって突出されている弾性変形可能な機器側の係止片と、
前記機器側の係止片と隣接している前記凹部の内面に形成されている機器側のロック穴と、
前記機器側の係止片と対応して前記ユニット品の外面に形成されているユニット側のロック穴と、
前記凹部の開口を閉じる蓋と、
前記機器側のロック穴と対応して先端に係止爪を有して前記蓋の内面より突出されている弾性変形可能な蓋側の係止片と、
前記蓋側の係止片と並んで前記蓋の内面より突出されているとともに、前記蓋側の係止片と共に前記凹部の内面と前記機器側の係止片との間に差し込み配置されるストップリブとを備え、
前記ユニット品を前記凹部内に収納させて前記ユニット側のロック穴に前記機器側の係止片を係合させて固定するとともに、前記蓋側の係止片と前記ストップリブとを前記凹部の内面と前記機器側の係止片との間に前記ストップリブを前記機器側の係止片に沿わせた状態にして差し込み、前記機器側のロック穴に前記蓋側の係止片の前記係止爪を係合させて前記蓋を前記電子機器側に前記凹部を閉じて取り付けたことを特徴とするユニット品の固定構造。
【請求項２】
凹部を前記電子機器の外側を覆っているカバーに設けている請求項１に記載のユニット品の固定構造。
【発明の詳細な説明】
【０００１】
【発明の属する技術分野】
本発明は、電子機器においてハードディスク駆動装置（以下、単に「ＨＤＤ」と言う）ユニットやバッテリー等の付属のユニットを機器内部に着脱可能に取り付けるためのユニット品の固定構造に関するものである。
【０００２】
【従来の技術】
図１１及び図１２はＨＤＤユニットを着脱可能に取り付けている従来における電子機器の一例を示すもので、図１１はユニット品を装着した状態で示す電子機器の斜視図、図１２はユニット品を取り外して分解されている状態で示す斜視図である。
図１１及び図１２において、この電子機器５１は、大きくは内部フレーム５２（図１２参照）と、この内部フレーム５２の前面を覆うフロントカバー５３と、このフロントカバー５３で覆われていない内部フレーム５２の側面及び背面の片側半分を覆うアッパーカバー５４と、残りの片側半分を覆うロアカバー５５とで構成されている。
【０００３】
さらに詳述すると、内部フレーム５２には、電子機器５１の全体を制御するための回路が組み込まれている基板等が搭載されている他に、凹部６３が設けられており、この凹部６３にＨＤＤ組立体５８が組み込める構造となっている。
そのＨＤＤ組立体５８は、図１３に示すようにＨＤＤユニット５６と、このＨＤＤユニット５６を凹部６３に取り付けるためのブラケット５７等を有してなり、ロアカバー５５が外されている状態においてＨＤＤユニット５６側から凹部６３内に入れられ、その内部フレーム５２にブラケット５７をネジ６０により固定することによって着脱可能に取り付けていた。そして、この後から、ロアカバー５５を取付ネジ５９で取り付けて内部を覆い隠すとＨＤＤ組立体５８の組立が完了する構造になっている。
【０００４】
【発明が解決しようとする課題】
上述した従来のユニット品の固定構造では、ＨＤＤ組立体５８を交換する時には、まず取付ネジ５９とロアカバー５５とを取り外して内部フレーム５２が見える状態にしてから、ＨＤＤ組立体５８を固定している全て（本例では４つ）のネジ６０を取り外す必要がある。また、逆に取り付けるときには、この逆の手順で組み立てる必要がある。このため、交換時における分解・再組立に時間がかかると言う問題点があった。
【０００５】
本発明は、上記問題点に鑑みてなされたものであり、その目的はユニット品を電子機器内部に簡単かつ確実に取り付けることができるようにしたユニット品の固定構造を提供することにある。
さらに、他の目的は、以下に説明する内容の中で順次明らかにして行く。
【０００６】
【課題を解決するための手段】
本発明は上記目的を達成するために、次の技術手段を講じたことを特徴とする。すなわち、電子機器内部にユニット品を着脱可能に取り付けるユニット品の固定構造において、電子機器側に設けられた前記ユニット品を受け入れる凹部と、前記凹部の一端面側で先端に係止爪を有して前記凹部内の底面から上方に向かって突出されている弾性変形可能な機器側の係止片と、前記機器側の係止片と隣接している前記凹部の内面に形成されている機器側のロック穴と、前記機器側の係止片と対応して前記ユニット品の外面に形成されているユニット側のロック穴と、前記凹部の開口を閉じる蓋と、前記機器側のロック穴と対応して先端に係止爪を有して前記蓋の内面より突出されている弾性変形可能な蓋側の係止片と、前記蓋側の係止片と並んで前記蓋の内面より突出されているとともに、前記蓋側の係止片と共に前記凹部の内面と前記機器側の係止片との間に差し込み配置されるストップリブとを備え、前記ユニット品を前記凹部内に収納させて前記ユニット側のロック穴に前記機器側の係止片を係合させて固定するとともに、前記蓋側の係止片と前記ストップリブとを前記凹部の内面と前記機器側の係止片との間に前記ストップリブを前記機器側の係止片に沿わせた状態にして差し込み、前記機器側のロック穴に前記蓋側の係止片の前記係止爪を係合させて前記蓋を前記電子機器側に前記凹部を閉じて取り付けてなる構成としたものである。
【０００７】
これによれば、凹部内にユニット品を差し込むと、ユニット品を凹部内に収納させてユニット側のロック穴に機器側の係止片を係合させて固定することがでる。続いて、蓋側の係止片とストップリブを、凹部の内面と機器側の係止片との間に、そのストップリブを機器側の係止片に沿わせた状態にして差し込み、機器側のロック穴に蓋側の係止片の係止爪を係合させると、蓋を前記電子機器側に取り付けて凹部を閉じることができる。
したがって、この構造では、従来構造で使用していたようなネジ等を使用せずにユニット品を電子機器側に簡単に取り付けることができる。また、蓋を外すだけで簡単に交換作業を行うことができる。
さらに、凹部の内面と機器側の係止片との間の隙間を塞いだ状態にして蓋側の係止片及びストップリブが配置されて蓋が閉じられ、さらに閉じられた状態ではストップリブが機器側の係止片に沿って配置されるので、外部からの衝撃等を受けてユニット品側から機器側の係止片が押されてもストップリブによって撓み変形が抑えられ、ユニット品側のロック穴と機器側の係止爪との係合が外れにくくなる。これにより、蓋及びユニット品が簡単に外れてしまうのを防止することができる。
【０００８】
【発明の実施の形態】
以下、本発明の形態を添付図面に基づいて詳細に説明する。なお、以下に述べる形態は、本発明の好適な具体例であるから技術的に好ましい種々の限定が付されているが、本発明の範囲は、以下の説明において特に本発明を限定する旨の記載がない限り、これらの形態に限られるものではないものである。
【０００９】
図３及び乃至図４は発明を適用した電子機器の一形態例を示すもので、図３はユニット品を取り外して分解されている状態で示す斜視図、図４はユニット品を装着し蓋を取り外している状態で示す斜視図である。また、図１及び図２は図３のＡーＡ線に相当する部分を断面し、かつ拡大して示すもので、図１はユニット品と蓋を装着している状態で示す斜視図、図２はユニット品と蓋を取り外して分解されている状態で示す斜視図である。
【００１０】
図３及び図４において、電子機器１は、内部フレーム２と、この内部フレーム２の前面を覆う樹脂製のフロントカバー３と、このフロントカバー３で覆われていない内部フレーム２の側面及び背面の片側半分を覆う樹脂製のアッパカバー４と、残りの片側半分を覆う樹脂製のロアカバー５とで構成されている。また、内部フレーム２には、電子機器１の全体を制御するための回路が組み込まれている。
【００１１】
ロアカバー５は外側面にユニット品としてのＨＤＤ組立体８を組み込むことができる凹部６を有しているとともに、この凹部６が蓋９で閉じることができる構造になっている。
【００１２】
さらに詳述すると、ＨＤＤ組立体８は、ＨＤＤユニット１０と、このＨＤＤユニット１０の外面を覆って一面１０ａに固定ネジ１１で固定して取り付けられているブラケット１２等で構成されている。このうち、ブラケット１２はＨＤＤユニット１０の一面１０ａに沿って上記固定ネジ１１で固定して取り付けられる本体部１２ａと、ＨＤＤユニット１０の前面１０ｂに沿って本体部１２ａより略直角に折り曲げられている前壁部１２ｂと、ＨＤＤユニット１０の左右の側面に沿って本体部１２ａより略直角に折り曲げられている左右の側壁部１２ｃと、ＨＤＤユニット１０の後面１０ｃに沿って本体部１２ａより略直角に折り曲げられている後壁部１２ｄと、この後壁部１２ｄの下端より後方に向かって略直角に折り曲げられている係止爪部１２ｅとを一体に有している。また、本体部１２ａから前壁部１２ｂが折り曲げられているコーナー部分には矩形状をした一対のロック穴１３が左右に分かれて形成されている。
【００１３】
上記ロアカバー５に付いてさらに説明すると、ロアカバー５の上記凹部６は、ＨＤＤ組立体８を収納するのに十分なスペースを有しており、その底面６ａからはＨＤＤ組立体８側のロック穴１３に対応して、一対の係止片１４が開口側に向かって突出された状態にして一体に形成されている。なお、各係止片１４の先端部分には、図５に示すようにしてロック穴１３に係合可能な係止爪１４ａが一体に設けられている。また、凹部６の係止片１４と対向している内面６ｂには、係止片１４と対応して一対のロック穴１５が左右に分かれて形成されている。さらに、凹部６の内面６ｂと対向している内面６ｃには、その左右中央部分に、ＨＤＤ組立体８の係止爪部１２ｅに対応してスリット１６が形成されており、このスリット１６を通ってロックプレート１７のロック片１７ａが内面６ｃより略直角に凹部６内に向かって突出された状態にして配設されている。なお、ロックプレート１７はロアーカバー５に固定されているとともに、ロック片１７ａの先端部分には、図６に示すように、一部１７ｂを切り起こして、その切り起こされた後の部分に切欠部１８を形成しており、この切欠部１８内に係止爪部１２ｅを差し込み係合可能にしている。
【００１４】
蓋９は、ロアカバー５と同じ樹脂材で形成されており、凹部６の開口を覆う本体部９ａと、この本体部９ａの裏面側にロアカバー５側のロック穴１５に対応して一対の係止片１９が左右に分かれて形成されている（図７参照）。なお、各係止片１９の先端部分には、ロック穴１５に係合可能な係止爪１９ａが一体に設けられているとともに、この係止爪１９ａの係止面１９ｂがロック穴１５に係合された後から係止片１９を取り外し方向に強く引いたときに、その係合が強制的に解除できるようにするためにテーパー面として形成されている。
さらに、本体部９の裏面側には係止片１９の背面側に各々対応して、この係止片１９と略平行にして延びるストッパリブ２０が一体に形成されている（図７参照）。このストッパリブ２０及び係止片１９は、ロアカバー５における凹部６の内面６ｂと係止片１４との間の隙間に略一致して差し込み可能になっている。このうち、ストッパーリブ２０は、係止片１９が内面６ｂ側に向かって倒れるのを阻止するための部材として機能する。一方、本体部９の係止片１９が形成されている端部側と反対の端部側には、ロアカバー５側のスリット１６内に差し込まれて、その端面１６ａに係合される断面略Ｌ字形の係止爪２１が本体部９ａと一体に形成されている。
【００１５】
図８乃至図１０はＨＤＤ組立体８の組み込み動作を示す図である。そこで、次に、ＨＤＤ組立体８の組み込み動作を図８乃至図１０を加えて説明する。なお、ここでは、蓋９が取り外され、ロアカバー５の凹部６内にＨＤＤ組立体８が未だセットされていない状態として説明する。
【００１６】
まず、ＨＤＤ組立体８を凹部６内にセットする。このＨＤＤ組立体８をセットする場合は、後壁部１２ｄ側を下にしてＨＤＤ組立体８の全体を傾けた状態にするとともに、ブラケット１２の係止爪部１２ｅをロアカバー５側のロックプレート１７の切欠部１８内に差し込み、その係止爪部１２ｅをロックプレート１７の裏面側に係合させ、この係合状態で前壁部１２ｂ側を凹部６内に向かって落とし込む（図８参照）。すると、途中でブラケット１２が係止片１４の係止爪１４ａに当接するが、ここでの係止爪１４ａの外面１４ｂはテーパー状に形成されていて、このテーパー形状により係止片１４は外側（内面６ｂ側）に逃げる力をＨＤＤ組立体８側から受けて外側に弾性変形されて逃げ、この逃げによりＨＤＤ組立体８がさらに凹部６内に入り込むのを許容する。そして、ＨＤＤ組立体８が凹部６の底面６ａに密着された状態になるまで落とし込まれると、係止爪１４ａにブラケット１２のロック穴１３が対応し、このロック穴１３内に係止爪１４ａを侵入させて係合ロックされた状態に係止片１４が弾性復帰する（図５及び図９参照）。これにより、ＨＤＤ組立体８は係止爪部１２ｅとロックプレート１７と係合、及び係止爪１４ａとロック穴１３との係合により抜け止めされて、凹部６内に固定される。
【００１７】
次に、ロアカバー５に蓋９を取り付けて、凹部６内のＨＤＤ組立体８を隠す。このロアカバー５に蓋９を取り付ける場合は、係止爪２１が形成されている側を下にして蓋９の全体を傾けた状態にするとともに、係止爪２１をロアカバー５側のスリット１６内に差し込み、その係止爪２１を端面１６ａに係合させ、次いでこの係合状態で蓋９を凹部６内に向かって落とし込む（図９参照）。すると、係止片１９とストップリブ２０が、凹部６の内面６ｂと係止片１４との間に入り込む状態にして落とし込まれて行く。また、その途中で係止片１９の係止爪１９ｂが凹部６の開口縁に当接するが、ここでの係止爪１９ｂの外面１９ｃはテーパー状に形成されているので、このテーパー形状により係止片１９は内側（ストップリブ２０側）に逃げる力を受けて内側に弾性変形されて逃げ、これにより係止片１９が凹部６内に入り込むのを許容する。そして、蓋９が凹部６の開口を閉じた状態まで落とし込まれると、ロック穴１５に係止爪１９ａが対応し、このロック穴１５内に係止爪１９ａを侵入させて係合ロックされた状態に係止片１９が弾性復帰する。また、この状態では、ストップリブ２０が係止片１４の背面（内面６ｂ側）に略密着された状態に配置される（図１及び図１０参照）。これにより、蓋９は係止爪２１と端面１６ａとの係合、及び係止爪１９ａとロック穴１５との係合により抜け止めされて、凹部６の開口面を塞いだ状態でロアカバー５に固定される。
【００１８】
したがって、これによりＨＤＤ組立体８の電子機器１への取り付けが完了し、また凹部６の内面６ｂと係止片１４との間には、この隙間を塞いだ状態にして係止片１９及びストップリブ２０が配置された状態になっている。この状態では、電子機器１に外部から振動を受け、例えばＨＤＤ組立体８が図１中の矢印Ｂ方向に移動しようとする力が加わり、係止片１４にも同じく矢印Ｂ方向に力が加わったような場合、係止片１４の背面側にストップリブ２０が配置されているので、このストップリブ２０がストッパーとなって係止片１４が矢印Ｂ方向に撓むのを防止し、係止爪１４ａとロック穴１３とが外れるのを防ぐ。また、矢印Ｂ方向の力はストップリブ２０を介して蓋９側の係止片１９にも伝えられ、係止片１９を内面６ｂに対して押し付けるので、係止爪１９ａがロック穴１５の係合から外れるのを阻止する。よって、この構造では、電子機器１に外部から振動を受けてＨＤＤ組立体８が図１中の矢印Ｂ方向に移動しようとした場合でも、ＨＤＤ組立体８及び蓋９が簡単に外れることがない。
【００１９】
次に、ＨＤＤ組立体８を交換する必要が生じて、ＨＤＤ組立体８を取り外す場合について説明する。この場合、蓋９の係止片１９が形成されている側の端部を外側に引き剥がす力を蓋９に付与する。すると、係止爪１９ａの係止面１９ｂはテーパー面として形成されているので、蓋９が引かれる力によって係止片１９が内側（ストップリブ２０側）に弾性変形されて逃げ、これにより片側を持ち上げることができる。次いで、係止爪２１をスリット１６内より抜き取ると、蓋９をロアカバー５から取り外すことができ、これによりＨＤＤ組立体８は、凹部６内で露出する。
【００２０】
次いで、係止片１４を凹部６の内面６ｂ側に倒して係止爪１４ａをロック穴１３より外し、この状態で係止片１４に近いＨＤＤ組立体８の片側を上に持ち上げる。次いで、ブラケット１２の係止爪部１２ｅをロックプレート１７の切欠部１８内より抜き取ると、ＨＤＤ組立体８を凹部６内より取り外すことができる。そして、新たなＨＤＤ組立体８を前述したようにして組み込むことにより、交換が完了する。
【００２１】
したがって、この形態例の構造では、従来構造で使用していたようなネジ等を使用せずにＨＤＤ組立体８を簡単に取り付けることができる。
また、ロアカバー５の全体を外さなくても、蓋９を外すだけで簡単に交換作業を行うことができる。
さらに、凹部６の内面６ｂと係止片１４との間の隙間を塞いだ状態にして係止片１９及びストップリブ２０が配置されて蓋９が閉じられるので、外部からの衝撃等を受けても、蓋９及びＨＤＤ組立体８が簡単に外れてしまうのを防止することができる。
【００２２】
なお、本形態例では、ＨＤＤ組立体をＨＤＤユニット１０とブラケット１２とでなる場合について説明したが、これはＨＤＤユニット１０を凹部６内に直接組み込む場合にも適用できるものであり、さらにはＨＤＤ組立体８に限らずに、例えばバッテリーユニット等、交換が必要とされるユニット品を電子機器１に取り付ける場合に適用すると、同様な効果が期待できるものである。
【００２３】
【発明の効果】
以上説明したとおり、本発明によれば従来構造で使用していたようなネジ等を使用せずにユニット品を電子機器側に簡単に取り付けることができるので、ユニットの交換作業等が簡単にできる。また、蓋を外すだけでユニットを簡単に交換することができるので作業性が向上する。
さらに、外部からの衝撃等を受けてユニット品側から機器側の係止片が押されてもストップリブによって撓み変形が抑えられて、ユニット品側のロック穴と機器側の係止爪との係合が外れにくくなっているので、蓋及びユニット品が簡単に外れてしまうのを防止することができる、等の効果が期待できる。
【図面の簡単な説明】
【図１】図３のＡ−Ａ線に相当する部分の拡大概略断面図である。
【図２】図３のＡ−Ａ線に相当する部分の拡大概略分解断面図である。
【図３】本発明を適用した電子機器の一形態を示す分解斜視図である。
【図４】本発明を適用した電子機器の一形態を示す斜視図である。
【図５】本発明を適用した電子機器の要部構造斜視図である。
【図６】本発明を適用した電子機器の要部構造図である。
【図７】本発明を適用した電子機器の要部斜視図である。
【図８】本発明を適用した電子機器の動作説明図である。
【図９】本発明を適用した電子機器の動作説明図である。
【図１０】本発明を適用した電子機器の動作説明図である。
【図１１】従来における電子機器の一例を示す斜視図である。
【図１２】従来における電子機器の一例を示す分解斜視図である。
【図１３】ＨＤＤ組立体の一例を示す分解斜視図である。
【符号の説明】
１  電子機器
２  内部フレーム
５  ロアカバー
６  凹部
８  ＨＤＤ組立体（ユニット品）
９  蓋
１０  ＨＤＤユニット
１３  ロック穴
１４  係止片
１４ａ  係止爪
１５  ロック穴
１９  係止片
１９ａ  係止爪
２０  ストップリブ
【図１】
0003648017.tif 000002
【図２】
0003648017.tif 000003
【図３】
0003648017.tif 000004
【図４】
0003648017.tif 000005
【図５】
0003648017.tif 000006
【図６】
0003648017.tif 000007
【図７】
0003648017.tif 000008
【図８】
0003648017.tif 000009
【図９】
0003648017.tif 000010
【図１０】
0003648017.tif 000011
【図１１】
0003648017.tif 000012
【図１２】
0003648017.tif 000013
【図１３】
0003648017.tif 000014